(57)【要約】【課題】３Ｄ  ＭＩＭＯにおいてフラッシュライトエフェクトを軽減するための技術を提供することである。【解決手段】本発明の一態様は、在圏基地局から送信される指向性ビームと隣接基地局から送信される干渉ビーム候補とを含む干渉ビーム候補リストを受信する送受信部と、前記受信した干渉ビーム候補リストの各指向性ビームにより送信された各リファレンス信号の受信品質を測定する測定部と、前記測定された受信品質に基づき干渉情報を生成する干渉情報生成部とを有するユーザ装置であって、前記送受信部は、前記生成された干渉情報を前記在圏基地局又は前記隣接基地局に通知するユーザ装置に関する。【選択図】図４
2015185956.tif 000002
【特許請求の範囲】
【請求項１】
在圏基地局から送信される指向性ビームと隣接基地局から送信される干渉ビーム候補とを含む干渉ビーム候補リストを受信する送受信部と、
前記受信した干渉ビーム候補リストの各指向性ビームにより送信された各リファレンス信号の受信品質を測定する測定部と、
前記測定された受信品質に基づき干渉情報を生成する干渉情報生成部と、
を有するユーザ装置であって、
前記送受信部は、前記生成された干渉情報を前記在圏基地局又は前記隣接基地局に通知するユーザ装置。
【請求項２】
前記送受信部は、前記干渉情報をチャネル状態情報又は送達確認に多重することによって、前記干渉情報を前記在圏基地局に通知する、請求項１記載のユーザ装置。
【請求項３】
前記送受信部は、前記干渉情報をアップリンクデータチャネルに多重することによって、前記干渉情報を前記在圏基地局に通知する、請求項１記載のユーザ装置。
【請求項４】
前記送受信部は、前記干渉情報をランダムアクセスチャネルにより前記隣接基地局に通知する、請求項１記載のユーザ装置。
【請求項５】
前記送受信部は、前記隣接基地局に在圏するユーザ装置に送信するＤ２Ｄ（Ｄｅｖｉｃｅ  ｔｏ  Ｄｅｖｉｃｅ）信号を介し前記干渉情報を前記隣接基地局に通知する、請求項１記載のユーザ装置。
【請求項６】
前記送受信部は、前記Ｄ２Ｄ信号のペイロードに被干渉のタイミング、被干渉の周波数位置、被干渉のビームインデックス及び被干渉の受信品質の１つ以上を含める、請求項５記載のユーザ装置。
【請求項７】
前記干渉ビーム候補リストの各指向性ビームは、該指向性ビームの送信元を示すインジケータと関連付けされ、
前記送受信部は、前記隣接基地局からの指向性ビームにより送信されたリファレンス信号の干渉レベルが所定の閾値以上であることに応答して、前記生成された干渉情報を前記在圏基地局又は前記隣接基地局に通知する、請求項１乃至６何れか一項記載のユーザ装置。
【請求項８】
ユーザ装置が在圏する基地局であって、
当該基地局から送信される指向性ビームと隣接基地局から送信される干渉ビーム候補とを含む干渉ビーム候補リストを前記ユーザ装置に通知すると共に、前記干渉ビーム候補リストの指向性ビームによりリファレンス信号を送信する送受信部と、
前記ユーザ装置から干渉情報を取得する干渉情報取得部と、
前記取得した干渉情報に基づき、前記隣接基地局と連携して前記ユーザ装置への送信を制御する送信制御部と、
を有する基地局。
【請求項９】
前記送信制御部は、前記干渉情報に示される前記隣接基地局からの干渉ビームの送信タイミングと前記送受信部からの指向性ビームの送信タイミングとが重複しないように、前記ユーザ装置への送信を制御する、請求項８記載の基地局。
【請求項１０】
前記送信制御部は、前記隣接基地局に指定したタイミング又は期間において、前記干渉情報に示される前記隣接基地局の干渉ビームを送信しないよう指示する、請求項８記載の基地局。
【発明の詳細な説明】
【技術分野】
【０００１】
本発明は、無線通信システムに関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）のＲｅｌｅａｓｅ  ８〜１１では、水平方向に配置された複数のアンテナポートが搭載された基地局において、水平方向のビームを形成するための技術が採用されている。また、Ｒｅｌｅａｓｅ  １２では、システム特性をさらに向上させるため、このような水平方向の配置をより一般化した任意に配置された複数のアンテナポートを利用したビーム形成技術（３Ｄ  ＭＩＭＯ（Ｍｕｌｔｉｐｌｅ−Ｉｎｐｕｔ  Ｍｕｌｔｉｐｌｅ−Ｏｕｔｐｕｔ））が検討されている。例えば、水平方向及び垂直方向に２次元配置された複数のアンテナポートが搭載された基地局において、水平方向に加えて垂直方向にビームを形成するための技術が検討されている。
【０００３】
このような任意に配置されたアンテナポートによる３Ｄ  ＭＩＭＯでは、基地局は、所定のビーム配置により配置された複数のアンテナポートを用いて水平方向及び垂直方向に指向性ビームを形成する。図１に示されるように、基地局は、各アンテナポートから指向性ビーム、すなわち、プリコードされた信号を送信する。図示された例では、基地局は、プリコードされた信号として、ユーザ装置による受信品質測定用のＰｒｅｃｏｄｅｄ  ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）を送信している。ユーザ装置は、各アンテナポートから送信されたＰｒｅｃｏｄｅｄ  ＣＳＩ−ＲＳの受信品質を測定し、測定した受信品質に基づき受信品質の良好な指向性ビーム（例えば、最大受信電力を有する指向性ビーム）を選択し、選択した指向性ビームのビームインデックスを基地局にフィードバックする。
【０００４】
３Ｄ  ＭＩＭＯの実現形態として、垂直ビームフォーミングとＦＤ（Ｆｕｌｌ  Ｄｉｍｅｎｓｉｏｎ）−ＭＩＭＯとが知られている。３ＧＰＰ標準化上、送信アンテナポート数が８以下であるケースは垂直ビームフォーミングとして参照され、送信アンテナポート数が８より大きいケース（１６，３２，６４など）はＦＤ−ＭＩＭＯとして参照される。将来的には、アンテナ数が数百〜数万以上になることも想定される（Ｍａｓｓｉｖｅ  ＭＩＭＯやＨｉｇｈｅｒ−ｏｒｄｅｒ  ＭＩＭＯ）。
【先行技術文献】
【非特許文献】
【０００５】
【非特許文献１】３ＧＰＰ  ＴＳ  ３６．２１１  Ｖ１２．０．０（２０１３−１２）
【発明の概要】
【発明が解決しようとする課題】
【０００６】
このように、３Ｄ  ＭＩＭＯでは、各基地局が指向性の強いビームを送信するため、いわゆる、フラッシュライトエフェクト（Ｆｌａｓｈ  Ｌｉｇｈｔ  Ｅｆｆｅｃｔ）が発生する可能性がある。すなわち、隣接基地局によるビームフォーミングにより生じる干渉電力が瞬時又はバースト的に非常に強くなり、ユーザ装置と在圏基地局との間の通信に影響を与える可能性がある。
【０００７】
上記問題点を鑑み、本発明の１つの課題は、３Ｄ  ＭＩＭＯにおいてフラッシュライトエフェクトを軽減するための技術を提供することである。
【課題を解決するための手段】
【０００８】
上記課題を解決するため、本発明の一態様は、在圏基地局から送信される指向性ビームと隣接基地局から送信される干渉ビーム候補とを含む干渉ビーム候補リストを受信する送受信部と、前記受信した干渉ビーム候補リストの各指向性ビームにより送信された各リファレンス信号の受信品質を測定する測定部と、前記測定された受信品質に基づき干渉情報を生成する干渉情報生成部とを有するユーザ装置であって、前記送受信部は、前記生成された干渉情報を前記在圏基地局又は前記隣接基地局に通知するユーザ装置に関する。
【０００９】
本発明の他の態様は、ユーザ装置が在圏する基地局であって、当該基地局から送信される指向性ビームと隣接基地局から送信される干渉ビーム候補とを含む干渉ビーム候補リストを前記ユーザ装置に通知すると共に、前記干渉ビーム候補リストの指向性ビームによりリファレンス信号を送信する送受信部と、前記ユーザ装置から干渉情報を取得する干渉情報取得部と、前記取得した干渉情報に基づき、前記隣接基地局と連携して前記ユーザ装置への送信を制御する送信制御部とを有する基地局に関する。
【発明の効果】
【００１０】
本発明によると、３Ｄ  ＭＩＭＯにおいてフラッシュライトエフェクトを軽減するための技術を提供することができる。
【図面の簡単な説明】
【００１１】
【図１】図１は、３Ｄ  ＭＩＭＯによるビーム形成を示す概略図である。
【図２】図２は、本発明の一実施例による無線通信システムを示す概略図である。
【図３】図３は、本発明の一実施例による基地局のアンテナ素子の配置例を示す概略図である。
【図４】図４は、本発明の一実施例によるユーザ装置の構成を示すブロック図である。
【図５】図５は、本発明の一実施例による隣接基地局による干渉を示す概略図である。
【図６】図６は、本発明の一実施例による基地局の構成を示すブロック図である。
【図７】図７は、本発明の一実施例によるユーザ装置による干渉情報通知処理を示すフロー図である。
【発明を実施するための形態】
【００１２】
以下、図面に基づいて本発明の実施の形態を説明する。
【００１３】
３Ｄ  ＭＩＭＯにおいてフラッシュライトエフェクトを軽減することが可能なユーザ装置及び基地局が開示される。後述される実施例では、ユーザ装置は、在圏基地局から送信される指向性ビームと隣接基地局から送信される干渉ビーム候補とを含む干渉ビーム候補リストを在圏基地局から受信し、受信した干渉ビーム候補リストの各指向性ビームにより送信された各リファレンス信号の受信品質を測定する。当該指向性ビームにより送信されるリファレンス信号は、例えば、プリコードされたリファレンス信号であり、Ｐｒｅｃｏｄｅｄ  ＣＳＩ−ＲＳなどであってもよい。その後、ユーザ装置は、測定された受信品質に基づき、干渉が検出されたタイミング、周波数位置、ビーム番号などを示す干渉情報を生成し、在圏基地局又は隣接基地局に通知する。
【００１４】
干渉情報を受信すると、在圏基地局と隣接基地局とは連携して、干渉が発生しないようにユーザ装置への送信を制御する。例えば、ユーザ装置により干渉ビームであると判断された隣接基地局の指向性ビームの送信タイミングと、在圏基地局の指向性ビームの送信タイミングとが重複しないように、在圏基地局と隣接基地局とは連携してユーザ装置への送信を制御してもよいし、送信周波数が重複しないように制御しても良い。このようにして、指向性の強いビームを利用することによる隣接基地局からのフラッシュライトエフェクトを抑制することが可能になる。
【００１５】
図２を参照して、本発明の一実施例による無線通信システムを説明する。後述される実施例による無線通信システムは、３Ｄ  ＭＩＭＯ通信をサポートする。図２は、本発明の一実施例による無線通信システムを示す概略図である。
【００１６】
図２に示されるように、無線通信システム１０は、ユーザ装置（ＵＥ）１００と基地局（ｅＮＢ）２００Ａ，２００Ｂ（基地局２００として総称される）とを有する。図示された実施例では、無線通信システム１０は、１つのユーザ装置１００と２つの基地局２００Ａ，２００Ｂしか有していないが、典型的には、多数のユーザ装置１００と多数の基地局２００とを有する。すなわち、多数の基地局２００が無線通信システム１０のサービスエリアをカバーするように配置され、各ユーザ装置１００が何れかの基地局２００に通信接続し、接続先の基地局２００との間でＭＩＭＯ通信を実行する。図示された実施例では、ユーザ装置１００は、基地局２００Ａのセルに在圏し、基地局２００ＡとＭＩＭＯ通信を実行している。また、基地局２００Ｂが基地局２００Ａに隣接して配置され、基地局２００Ａと基地局２００Ｂとはバックホールを介し通信接続される。
【００１７】
ユーザ装置１００は、３Ｄ  ＭＩＭＯを利用して基地局２００と通信する。ユーザ装置１００は、典型的には、携帯電話、スマートフォン、タブレット、モバイルルータなどであるが、これに限定されることなく、無線通信機能を備えた何れか適切なユーザ装置であってもよい。典型的なハードウェア構成では、ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などのメモリ装置、ハードディスク装置などの補助記憶装置、無線信号を通信するための通信装置、ユーザとやりとりするためのインタフェース装置などから構成される。後述されるユーザ装置１００の各機能は、通信装置及び／又はインタフェース装置を介し補助記憶装置に格納されているデータやプログラムをメモリ装置にロードし、ロードされたプログラムに従ってＣＰＵがデータを処理することによって実現される。
【００１８】
基地局２００は、３Ｄ  ＭＩＭＯを利用してユーザ装置１００と通信する。図示された実施例では、基地局２００Ａがユーザ装置１００の在圏基地局であり、基地局２００Ｂが在圏基地局２００Ａに隣接する隣接基地局である。基地局２００は、所定のビーム配置により配置された複数のアンテナポートを用いて指向性ビームを形成する。例えば、基地局２００は、図３に示されるように、水平方向及び垂直方向に２次元配置された複数のアンテナポートを用いて水平方向及び垂直方向に指向性ビームを形成する。これらのアンテナポート（ＡＰ）は、同一偏波素子や直交偏波素子を利用したアンテナ素子により構成されてもよい。例えば、図３の左側の図では、同一偏波素子が図示されるように２次元配置され、６４個のアンテナポートが構成される。また、図３の中央の図では、直交偏波素子が図示されるように２次元配置され、１２８個のアンテナポートが構成される。さらに、図３の右側の図では、直交偏波素子が図示されるように２次元配置され、複数の素子により１つのアンテナポートが構成される。基地局２００は、図示されたアンテナ素子配置に限定されるものでなく、複数のアンテナポートを用いて、基地局２００のセルをカバーする複数の指向性ビームを形成可能な何れか適切なアンテナ素子配置が利用されてもよい。例えば、アンテナ素子は、水平方向又は垂直方向のみに配置されてもよい。
【００１９】
在圏基地局２００Ａは、各アンテナポートからの指向性ビームによりデータ信号や制御信号などの各種信号をユーザ装置１００に送信すると共に、ユーザ装置１００からアンテナポートを介しデータ信号や制御信号などの各種信号を受信する。３Ｄ  ＭＩＭＯでは、データ伝送効率を向上させるため、基地局２００Ａは、ユーザ装置２００の位置に対応した適切な指向性ビームを用いてユーザ装置１００に信号を送信する。ユーザ装置１００に適した指向性ビームを決定するため、基地局２００Ａは、各アンテナポートから指向性ビームを発信することによって、ユーザ装置１００による受信品質測定用のプリコードされたリファレンス信号を送信する。また、隣接基地局２００Ｂから送信される指向性ビームによる干渉の影響を判断するため、基地局２００Ａは、隣接基地局２００Ｂと連携して指向性ビームによりリファレンス信号を送信する。
【００２０】
一実施例では、基地局２００Ａ，２００Ｂは、受信品質測定用のプリコードされたリファレンス信号としてＰｒｅｃｏｄｅｄ  ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）を送信する。一般に、プリコードされた信号は、ビーム利得を増大させる一方、ビーム幅を狭くする。このため、基地局２００Ａ，２００Ｂの全方向をカバーするため、アンテナ素子数に概ね比例したビーム方向が必要となり（例えば、アンテナ素子数の２倍のビーム方向など）、多数のアンテナ素子を利用する場合、多数の指向性ビーム又はプリコードされたリファレンス信号を形成する必要がある。
【００２１】
ユーザ装置１００は、基地局２００Ａ，２００Ｂの各アンテナポートから送信されたＰｒｅｃｏｄｅｄ  ＣＳＩ−ＲＳの受信品質を測定し、測定した受信品質に基づき受信品質の良好な指向性ビームを選択する。なお、指向性ビームにより送信されるリファレンス信号は、ＣＳＩ−ＲＳに限定されず、例えば、ＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）、Ｅｎｈａｎｃｅｄ  ＳＳ、Ｄｉｓｃｏｖｅｒｙ信号、ＤＭ−ＲＳ（Ｄａｔａ  Ｄｅｍｏｄｕｌａｔｉｏｎ−Ｒｅｆｅｒｅｎｃｅ  Ｓｉｇｎａｌ）などであってもよい。
【００２２】
一実施例では、ユーザ装置１００は、例えば、最大受信電力や最良のＳＩＮＲを有する指向性ビームを選択してもよいし、あるいは、ＭＵ（Ｍｕｌｔｉ  Ｕｓｅｒ）−ＭＩＭＯにおいて同時多重されるＵＥに適用されるべき指向性ビーム、又は他ユーザからの干渉が小さい指向性ビームを選択してもよい。ユーザ装置１００は、選択した指向性ビームのビームインデックスを基地局２００にフィードバックする。なお、各指向性ビームのビームインデックスは、基地局２００から通知され、例えば、各指向性ビームが送信されるタイミング及び／又は周波数と関連付けされる。このフィードバック情報を受信すると、基地局２００は、通知されたビームインデックスに対応するアンテナポートを利用して、当該ユーザ装置１００との間の通信を実行する。
【００２３】
次に、図４を参照して、本発明の一実施例によるユーザ装置を説明する。図４は、本発明の一実施例によるユーザ装置の構成を示すブロック図である。
【００２４】
図４に示されるように、ユーザ装置１００は、送受信部１１０、測定部１２０及び干渉情報生成部１３０を有する。図２に関して上述したように、ユーザ装置１００は、基地局２００Ａに在圏している。
【００２５】
送受信部１１０は、在圏基地局２００Ａから送信される指向性ビームと隣接基地局２００Ｂから送信される干渉ビーム候補とを含む干渉ビーム候補リストを受信する。すなわち、在圏基地局２００Ａは、在圏するユーザ装置１００に干渉を与える可能性のある隣接基地局２００Ｂの指向性ビームを通知するよう隣接基地局２００Ｂに対して要求し、隣接基地局２００Ｂから干渉ビーム候補のリストを受信する。例えば、隣接基地局２００Ｂは、在圏基地局２００Ａの方向に発信される指向性ビームを干渉ビーム候補として特定し、特定した干渉ビーム候補を在圏基地局２００Ａに通知してもよい。あるいは、在圏基地局２００Ａからユーザ装置１００の位置情報を取得している場合、隣接基地局２００Ｂは、ユーザ装置１００の方向に発信される指向性ビームを干渉ビーム候補として特定し、特定した干渉ビーム候補を在圏基地局２００Ａに通知してもよい。在圏基地局２００Ａは、隣接基地局２００Ｂから受信した干渉ビーム候補と、自局２００Ａから送信する指向性ビームとから構成される干渉ビーム候補をユーザ装置１００に通知する。図５に示された実施例では、在圏基地局２００Ａは、自局２００Ａから送信される指向性ビームＡ１〜Ａ８と隣接基地局２００Ｂから送信される干渉ビーム候補Ｂ１〜Ｂ８とを干渉ビーム候補として通知する。
【００２６】
なお、在圏基地局２００Ａは、隣接基地局２００Ｂから送信される干渉ビーム候補Ｂ１〜Ｂ８のみを干渉ビーム候補として通知してもよい。在圏基地局２００Ａは、定期的にリファレンス信号を送信し、ユーザ装置１００からフィードバック情報を取得しているため、ユーザ装置１００は、在圏基地局２００Ａによる定期的なリファレンス信号の送信中に、隣接基地局２００Ｂから送信される干渉ビーム候補リストの各干渉ビームによる干渉を測定することが可能である。
【００２７】
一実施例では、干渉ビーム候補リストでは、干渉ビーム候補リストの各指向性ビームは、当該指向性ビームの送信元を示すインジケータと関連付けされてもよい。この場合、隣接基地局２００Ｂからの指向性ビームにより送信されたリファレンス信号の干渉レベルが所定の閾値以上であることに応答して、送受信部１１０は、干渉情報生成部１３０により生成された干渉情報を在圏基地局２００Ａ又は隣接基地局２００Ｂに通知してもよい。
【００２８】
しかしながら、本発明はこれに限定されるものでなく、例えば、ユーザ装置１００は、必ずしも干渉ビーム候補リストを取得していなくてもよい。この場合、ユーザ装置１００は、測定結果に基づき干渉の大きさや干渉が大きいタイミングを特定し、特定した干渉の大きさや干渉が大きいタイミングを干渉情報として在圏基地局２００Ａ又は隣接基地局２００Ｂに通知するようにしてもよい。当該干渉情報を受信すると、在圏基地局２００Ａ又は隣接基地局２００Ｂは、受信した干渉情報に基づき干渉ビームを特定することが可能である。
【００２９】
測定部１２０は、受信した干渉ビーム候補リストの各指向性ビームにより送信された各リファレンス信号の受信品質を測定する。例えば、在圏基地局２００Ａ及び隣接基地局２００Ｂから送信されるリファレンス信号は、プリコードされたＣＳＩ−ＲＳ、ＰＳＳ、ＳＳＳ、Ｅｎｈａｎｃｅｄ  ＳＳ、Ｄｉｓｃｏｖｅｒｙ信号、ＤＭ−ＲＳであってもよく、測定部１２０は、在圏基地局２００Ａ及び隣接基地局２００Ｂから受信した各リファレンス信号のＲＳＲＰ（Ｒｅｆｅｒｅｎｃｅｅｄ  Ｓｉｇｎａｌ  Ｒｅｃｅｉｖｅｄ  Ｐｏｗｅｒ）を測定してもよい。
【００３０】
一実施例では、隣接基地局２００Ｂからの干渉を検出するため、測定部１２０は、在圏基地局２００Ａ及び隣接基地局２００Ｂから送信されたリファレンス信号の全受信電力から、在圏基地局２００Ａから送信されたリファレンス信号の受信電力を減じることによって、隣接基地局２００Ｂからの干渉ビームの干渉レベルを決定してもよい。例えば、リファレンス信号としてＤＭ−ＲＳが利用される場合、ユーザ装置１００は、受信したＤＭ−ＲＳから、当該ＤＭ−ＲＳを送信した在圏基地局２００Ａの送信電力を特定することができる。このため、測定部１２０は、在圏基地局２００Ａ及び隣接基地局２００Ｂから送信されたリファレンス信号に対して測定された受信電力（全受信電力）から、特定した在圏基地局２００Ａの送信電力を差し引くことによって、隣接基地局２００Ｂからの干渉ビームの受信電力を決定することが可能である。
【００３１】
他の実施例では、隣接基地局２００Ｂからの干渉を検出するため、測定部１２０は、在圏基地局２００Ａからの送信停止中に、隣接基地局２００Ｂから送信されたリファレンス信号の受信電力を測定してもよい。例えば、測定部１２０は、在圏基地局２００Ａからの送信停止中に、隣接基地局２００Ｂから送信されたＰｒｅｃｏｄｅｄ  ＣＳＩ−ＲＳの受信電力を測定し、測定した受信電力を隣接基地局２００Ｂからの干渉レベルとして決定してもよい（Ｚｅｒｏ−ｐｏｗｅｒ  ＣＳＩ−ＲＳ）。ここで、測定部１２０は、在圏基地局２００Ａから指向性ビームが送信されない期間を示す情報を予め取得するようにしてもよい。
【００３２】
干渉情報生成部１３０は、測定された受信品質に基づき干渉情報を生成する。生成された干渉情報は、送受信部１１０により在圏基地局２００Ａ又は隣接基地局２００Ｂに通知される。干渉情報は、例えば、隣接基地局２００Ｂからの干渉が検出された被干渉のタイミング、周波数位置、ビームインデックス及び／又は受信品質を含むものであってもよい。
【００３３】
干渉情報生成部１３０により生成された干渉情報は、送受信部１１０によって在圏基地局２００Ａ又は隣接基地局２００Ｂに通知される。ユーザ装置１００と在圏基地局２００Ａとの間に通信が確立されている場合、一実施例では、送受信部１１０は、干渉情報をチャネル状態情報又は送達確認に多重することによって、前記干渉情報を前記在圏基地局に通知してもよい。例えば、送受信部１１０は、生成された干渉情報をＣＳＩに含めることによってフィードバックしてもよいし、生成された干渉情報をＡＣＫ／ＮＡＣＫに付加することによってフィードバックしてもよい。他の実施例では、送受信部１１０は、干渉情報をアップリンクデータ信号に多重することによって、干渉情報を在圏基地局２００Ａに通知してもよい。例えば、送受信部１１０は、生成された干渉情報をＰＵＳＣＨ（Ｐｈｙｓｉｃａｌ  Ｕｐｌｉｎｋ  Ｓｈａｒｅｄ  Ｃｈａｎｎｅｌ）に多重することによってフィードバックしてもよい。このようにしてフィードバックされた干渉情報は、在圏基地局２００Ａによりバックホールを介し隣接基地局２００Ｂに通知されてもよい。取得した干渉情報に基づき、在圏基地局２００Ａと隣接基地局２００Ｂとは、後述されるように、連携して指向性ビームの送信を適切に制御する。
【００３４】
あるいは、送受信部１１０は、生成された干渉情報を在圏基地局２００Ａを介すことなく隣接基地局２００Ｂに直接送信してもよい。一実施例では、送受信部１１０は、干渉情報をランダムアクセスチャネルにより隣接基地局２００Ｂに通知してもよい。ランダムアクセスチャネル（ＲＡＣＨ）は、ユーザ装置１００が基地局２００に初期的にアクセスする際又はハンドオーバする際、基地局２００との接続を確立するのに利用される。例えば、送受信部１１０は、競合ベース（Ｃｏｎｔｅｎｔｉｏｎ−ｂａｓｅｄ）ＲＡＣＨを利用して干渉情報を隣接基地局２００Ｂに送信してもよい。
【００３５】
また、他の実施例では、送受信部１１０は、隣接基地局２００Ｂに在圏する他のユーザ装置に送信するＤ２Ｄ（Ｄｅｖｉｃｅ  ｔｏ  Ｄｅｖｉｃｅ）信号を介し干渉情報を隣接基地局２００Ｂに通知してもよい。すなわち、ユーザ装置１００は、隣接基地局２００Ｂに在圏する他のユーザ装置とＵＥ間通信を実行し、生成した干渉情報をＤ２Ｄ信号に含めて他のユーザ装置に送信する。隣接基地局２００Ｂは、当該ＵＥ間通信をモニタリングするなどによって、ユーザ装置１００の干渉情報を取得することができる。Ｄ２Ｄ信号はペイロードを有するため、送受信部１１０は、Ｄ２Ｄ信号のペイロードに被干渉のタイミング、被干渉の周波数位置、被干渉のビームインデックス及び被干渉の受信品質の１つ以上を含めることが可能である。
【００３６】
次に、図６を参照して、本発明の一実施例による基地局を説明する。本実施例では、主として在圏基地局２００Ａの観点から基地局２００を説明するが、以下の基地局２００の説明は、隣接基地局２００Ｂにも同様に適用可能である。図６は、本発明の一実施例による基地局の構成を示すブロック図である。
【００３７】
図６に示されるように、基地局２００は、送受信部２１０、干渉情報取得部２２０及び送信制御部２３０を有する。
【００３８】
送受信部２１０は、在圏基地局２００Ａから送信される指向性ビームと隣接基地局２００Ｂから送信される干渉ビーム候補とを含む干渉ビーム候補リストをユーザ装置１００に通知すると共に、干渉ビーム候補リストの指向性ビームによりリファレンス信号を送信する。在圏基地局２００Ａは、在圏するユーザ装置１００に干渉を与える可能性のある隣接基地局２００Ｂの指向性ビームを通知するよう隣接基地局２００Ｂに対して要求し、隣接基地局２００Ｂから干渉ビーム候補のリストを受信する。例えば、隣接基地局２００Ｂは、在圏基地局２００Ａの方向に発信される指向性ビームを干渉ビーム候補として在圏基地局２００Ａに通知してもよい。あるいは、在圏基地局２００Ａからユーザ装置１００の位置情報を取得している場合、隣接基地局２００Ｂは、ユーザ装置１００の方向に発信される指向性ビームを干渉ビーム候補として在圏基地局２００Ａに通知してもよい。送受信部２１０は、隣接基地局２００Ｂから受信した干渉ビーム候補と、送受信部２１０から送信する指向性ビームとから構成される干渉ビーム候補のリストをユーザ装置１００に通知する。図５に示された実施例では、送受信部２１０は、送受信部２１０から送信される指向性ビームＡ１〜Ａ８と隣接基地局２００Ｂから送信される干渉ビーム候補Ｂ１〜Ｂ８とを干渉ビーム候補リストにより通知する。上述したように、送受信部２１０は、隣接基地局２００Ｂから送信される干渉ビーム候補Ｂ１〜Ｂ８のみを干渉ビーム候補として通知してもよい。
【００３９】
一実施例では、干渉ビーム候補リストでは、干渉ビーム候補リストの各指向性ビームは、当該指向性ビームの送信元を示すインジケータと関連付けされてもよい。例えば、干渉ビーム候補リストのある指向性ビームが在圏基地局２００Ａから送信される場合、当該指向性ビームに関連付けされたインジケータには"０"が割り当てられ、他方、当該指向性ビームが隣接基地局２００Ｂから送信される場合、当該指向性ビームに関連付けされたインジケータには"１"が割り当てられてもよい。当該インジケータによって、ユーザ装置１００は、受信したリファレンス信号の送信元を判断することが可能になり、隣接基地局２００Ｂからの干渉ビームが所定の干渉レベルを超えた場合に、干渉が検出されたと判断することが可能になる。
【００４０】
しかしながら、本発明はこれに限定されるものでなく、例えば、基地局２００は、必ずしもユーザ装置１００に干渉ビーム候補リストを送信しなくてもよい。この場合、ユーザ装置１００は、測定結果に基づき干渉の大きさや干渉が大きいタイミングを特定し、特定した干渉の大きさや干渉が大きいタイミングを干渉情報として在圏基地局２００Ａ又は隣接基地局２００Ｂに通知するようにしてもよい。当該干渉情報を受信すると、在圏基地局２００Ａ又は隣接基地局２００Ｂは、受信した干渉情報に基づき干渉ビームを特定することが可能である。
【００４１】
干渉情報取得部２２０は、ユーザ装置１００から干渉情報を取得する。例えば、干渉情報は、被干渉のタイミング、被干渉の周波数位置、被干渉のビームインデックス及び被干渉の受信品質の１つ以上を含むものであってもよい。
【００４２】
在圏基地局２００Ａの干渉情報取得部２２０は、ユーザ装置１００から送信される干渉情報が多重されたチャネル状態情報又は送達確認から、又はユーザ装置１００から送信される干渉情報が多重されたアップリンクデータチャネルから、ユーザ装置１００により生成された干渉情報を抽出してもよい。
【００４３】
また、隣接基地局２００Ｂの干渉情報取得部２２０は、在圏基地局２００Ａから干渉情報を取得してもよいし、あるいは、在圏基地局２００Ａを介すことなくユーザ装置１００から直接的に干渉情報を取得してもよい。後者のケースについて、例えば、隣接基地局２００Ｂの干渉情報取得部２２０は、ユーザ装置１００から送信されたＲＡＣＨから干渉情報を取得してもよい。あるいは、隣接基地局２００Ｂの干渉情報取得部２２０は、隣接基地局２００Ｂに在圏するユーザ装置とユーザ装置１００との間のＵＥ間通信をモニタリングし、ユーザ装置１００から送信されたＤ２Ｄ信号から干渉情報を取得してもよい。
【００４４】
送信制御部２３０は、取得した干渉情報に基づき、隣接基地局２００Ｂと連携してユーザ装置１００への送信を制御する。一実施例では、送信制御部２３０は、干渉情報に示される隣接基地局２００Ｂからの干渉ビームの送信タイミングと送受信部２１０からの指向性ビームの送信タイミングとが重複しないように、ユーザ装置１００への送信を制御してもよい。すなわち、ユーザ装置１００に無線リソースがスケジューリングされている期間（スケジューリングされたＴＴＩ（Ｔｒａｎｓｍｉｓｓｉｏｎ  Ｔｉｍｅ  Ｉｎｔｅｒｖａｌ）区間など）では、送信制御部２３０は、当該期間に干渉情報に示された干渉ビームの送信を停止するよう隣接基地局２００Ｂに指示してもよい。これにより、隣接基地局２００Ｂから送信される指向性ビームによる干渉が発生しない期間にユーザ装置に１００に指向性ビームを送信することが可能になるため、ユーザ装置１００は、隣接基地局２００Ｂから送信される指向性ビームによる干渉を受けることなく、在圏基地局２００Ａから送信される信号を適切に受信することが可能になる。
【００４５】
他の実施例では、送信制御部２３０は、隣接基地局２００Ｂに指定したタイミング又は期間において、干渉情報に示される隣接基地局２００Ｂの干渉ビームを送信しないよう指示してもよい。当該指示を受信すると、隣接基地局２００Ｂの送信制御部２３０は、在圏基地局２００Ａにより指定されたタイミング又は期間において、ユーザ装置１００において干渉が検出された干渉ビームの送信を停止する。当該タイミングは、在圏基地局２００Ａからユーザ装置１００に再送を行う再送タイミングなど、ユーザ装置１００に送信信号を確実に受信させたいタイミングであってもよい。隣接基地局２００Ｂからの干渉ビームにより再送が必要になったと推定できるため、再送タイミングでは、隣接基地局２００Ｂからの干渉ビームの送信を停止させる必要がある。また、当該期間は、ユーザ装置１００が現在位置にいる間などの一定期間であってもよいし、あるいは永続的な期間であってもよい。
【００４６】
次に、図７を参照して、本発明の一実施例によるユーザ装置による干渉情報通知処理を説明する。図７は、本発明の一実施例によるユーザ装置による干渉情報通知処理を示すフロー図である。
【００４７】
図７に示されるように、ステップＳ１０１において、ユーザ装置１００は、在圏基地局２００Ａから予め提供された干渉ビーム候補リストの各指向性ビームにより送信された各リファレンス信号の受信品質を測定する。当該干渉ビーム候補リストには、ユーザ装置１００に干渉を与える可能性のある隣接基地局２００Ｂの干渉ビーム候補が少なくとも含まれる。例えば、隣接基地局２００Ｂの干渉ビーム候補は、隣接基地局２００Ｂから在圏基地局２００Ａの方向に発信される指向性ビームであってもよいし、あるいは、在圏基地局２００Ａからユーザ装置１００の位置情報を取得している場合、ユーザ装置１００の方向に発信される指向性ビームであってもよい。しかしながら、本発明はこれに限定されるものでなく、例えば、ユーザ装置１００は、必ずしも干渉ビーム候補リストを取得していなくてもよい。この場合、ユーザ装置１００は、測定結果に基づき干渉の大きさや干渉が大きいタイミングを特定し、特定した干渉の大きさや干渉が大きいタイミングを干渉情報として在圏基地局２００Ａ又は隣接基地局２００Ｂに通知するようにしてもよい。当該干渉情報を受信すると、在圏基地局２００Ａ又は隣接基地局２００Ｂは、受信した干渉情報に基づき干渉ビームを特定することが可能である。
【００４８】
ステップＳ１０２において、ユーザ装置１００は、測定されたリファレンス信号の受信品質に基づき干渉情報を生成する。干渉情報は、ユーザ装置１００において隣接基地局２００Ｂからの干渉が検出されたタイミング、周波数位置、ビームインデックス及び受信品質の１つ以上を含むものであってもよい。
【００４９】
ステップＳ１０３において、ユーザ装置１００は、生成された干渉情報を在圏基地局２００Ａ又は隣接基地局２００Ｂに通知する。一実施例では、ユーザ装置１００は、例えば、生成した干渉情報をチャネル状態情報又は送達確認に多重し、干渉情報が多重されたチャネル状態情報又は送達確認を在圏基地局２００Ａに送信してもよい。あるいは、ユーザ装置１００は、例えば、生成した干渉情報をアップリンクデータチャネルに多重し、干渉情報が多重されたアップリンクデータチャネルを在圏基地局２００Ａに送信してもよい。他の実施例では、ユーザ装置１００は、ＲＡＣＨに干渉情報を付加して隣接基地局２００Ｂに送信してもよい。あるいは、ユーザ装置１００は、隣接基地局２００Ｂに在圏するユーザ装置とのＵＥ間通信において、干渉情報をＤ２Ｄ信号に付加して隣接基地局２００Ｂに送信してもよい。
【００５０】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００５１】
１０  無線通信システム
１００  ユーザ装置
２００Ａ  在圏基地局
２００Ｂ  隣接基地局
【図１】
2015185956.tif 000003
【図２】
2015185956.tif 000004
【図３】
2015185956.tif 000005
【図４】
2015185956.tif 000006
【図５】
2015185956.tif 000007
【図６】
2015185956.tif 000008
【図７】
2015185956.tif 000009